(57)【要約】【課題】縦鉄筋の所定の位置に正確にかつ確実に取り付けることができ、しかも一種類で径の異なる鉄筋に自由に対応できるよう形成された鉄筋用スペーサーを提供する。【解決手段】型枠６内に配筋された縦鉄筋２に取り付けて、縦鉄筋２と型枠６間の間隔を保持する。縦鉄筋２の径方向に弾力的に変形して縦鉄筋２を挟持し得るように凹形状に形成されたばね部材３と、ばね部材３の両側に対称形に突設され、縦鉄筋２と型枠６との間に介在された複数の間隔保持部材４とから形成する。ばね部材は３は、ウェーブ部３ａとその両端に対向して突設されたフランジ部３ｂ，３ｂとから縦鉄筋２を真横から挟持可能なように、真横に開口する凹形状に形成する。間隔保持部材４は、モルタルまたは合成樹脂などから扇形状に形成する。【選択図】                図１
2004332482.tif 000002
【特許請求の範囲】
【請求項１】
型枠内に配筋された鉄筋に取り付けられ、前記鉄筋と前記型枠間の間隔を保持する鉄筋用スペーサーにおいて、前記鉄筋の径方向に弾力的に変形して前記鉄筋を挟持し得るように凹形状に形成されたばね部材と、当該ばね部材の周囲にその少なくとも二方向に突設され、前記鉄筋と前記型枠との間に介在された複数の間隔保持部材とから形成されてなることを特徴とする鉄筋用スペーサー。
【請求項２】
型枠内に配筋された鉄筋に取り付けられ、前記鉄筋と前記型枠間の間隔を保持する鉄筋用スペーサーにおいて、前記鉄筋の径方向に弾力的に変形して前記鉄筋を挟持し得るように凹形状に形成されたコイルバネからなるばね部材と、当該ばね部材の周囲にその少なくとも二方向に突設され、前記鉄筋と前記型枠との間に介在された複数の間隔保持部材とから形成されてなることを特徴とする鉄筋用スペーサー。
【請求項３】
ばね部材は、ウェーブ部とその両端に突設されたフランジ部とから真横に開口する凹形に形成されされてなることを特徴とする請求項１記載の鉄筋用スペーサー。
【請求項４】
ばね部材は、真横に開口するほぼ円形の凹形に形成されてなることを特徴とする請求項１または２記載の鉄筋用スペーサー。
【請求項５】
間隔保持部材は扇形状または半球状に形成されてなることを特徴とする請求項１〜４のいずれかに記載の鉄筋用スペーサー。
【発明の詳細な説明】
【０００１】
【発明の属する技術分野】
本願発明は型枠内に配筋された縦鉄筋や横鉄筋、さらには斜め鉄筋などに取り付けられ、前記縦鉄筋や横鉄筋と前記型枠（堰板）間の間隔（かぶり厚）、縦鉄筋間または横鉄筋間の間隔、さらには縦鉄筋や横鉄筋と斜め鉄筋間の間隔を正確に保持するための鉄筋用スペーサーに関するものである。
【０００２】
【従来の技術】
建築・土木工事において、型枠の堰板と型枠内に配筋された鉄筋との間隔を正しく保持するための鉄筋用スペーサーとして、俗にドーナツ形スペーサーと呼ばれる鉄筋用スペーサーが知られている。
【０００３】
この種の鉄筋用スペーサーとして、例えば図７に図示するようなスペーサーが知られ、図において、鉄筋用スペーサー１０は合成樹脂などから円形板状に形成され、中央に鉄筋挿通孔１０ａが形成され、かつ側部に鉄筋挿通孔１０ａに連通する鉄筋導入スリット１０ｂが形成されている。
【０００４】
そして、例えば型枠１１内に配筋された縦鉄筋１２に鉄筋用スペーサー１０を取り付けるには、鉄筋導入スリット１０ｂから鉄筋挿通孔１０ａ内に縦鉄筋１２を強く押し込むことにより、鉄筋用スペーサー１０は縦鉄筋１２の所定位置に取り付けられている（特許文献１）。
【０００５】
【特許文献１】
特開平１０−２３８０１８
【特許文献２】
特開平１０−１５９２５９
【特許文献３】
特開平０８−２７９５６
【０００６】
【発明が解決しようとする課題】
しかし、鉄筋用スペーサー１０は、中央の鉄筋挿通孔１０ａに縦鉄筋１２を単に貫通させて取り付けられているだけであるため、型枠１１内に打設されるコンクリート１３の嵩が増すにつれてコンクリート１３に押し上げられ、コンクリート１３とともに浮上してくることがある。
【０００７】
また、コンクリート１３を締め固めるために用いられるバイブレーター（図省略）の振動によってコンクリート１３内を浮上してくることもある。このため、当初、正確な位置に取り付けることができたとしても、その後位置がずれてしまって正確な位置に取り付けることができないという課題があった。
【０００８】
また、コンクリートの圧送や浮上に耐えられなくなって変形してしまい、その結果かぶりの厚さを保てなくなったり、脱落したりしてスペーサーとしての機能を果たせなくなってしまうことがあった。
【０００９】
さらに、鉄筋用スペーサーの製作時に鉄筋挿通孔１０ａの内径がほぼ決まってしまい、自由に拡径および縮径ができないため、径の異なる縦鉄筋１２ごとに鉄筋挿通孔１０ａの内径の異なるものを何種類も準備する必要があり、このため管理および取り扱いが非常に煩雑になりやすいという課題もあった。
【００１０】
本願発明は、以上の課題を解決するためになされたもので、縦鉄筋の所定の位置に正確にかつ確実に固定して取り付けることができ、しかも一種類で径の異なる鉄筋にも自由に対応できる鉄筋用スペーサーを提供することを目的とする。
【００１１】
【課題を解決するための手段】
請求項１記載の鉄筋用スペーサーは、型枠内に配筋された鉄筋に取り付けられ、前記鉄筋と前記型枠間の間隔を保持する鉄筋用スペーサーにおいて、前記鉄筋の径方向に弾力的に変形して前記鉄筋を挟持し得るように凹形状に形成されたばね部材と、当該ばね部材の周囲にその少なくとも二方向に突設され、前記鉄筋と前記型枠との間に介在された複数の間隔保持部材とから形成されてなることを特徴とするものである。
【００１２】
請求項２記載の鉄筋用スペーサーは、型枠内に配筋された鉄筋に取り付けられ、前記鉄筋と前記型枠間の間隔を保持する鉄筋用スペーサーにおいて、前記鉄筋の径方向に弾力的に変形して前記鉄筋を挟持し得るように凹形状に形成されたコイルバネからなるばね部材と、当該ばね部材の周囲にその少なくとも二方向に突設され、前記鉄筋と前記型枠との間に介在された間隔保持部材とから形成されてなることを特徴とするものである。
【００１３】
本願発明は、縦鉄筋や横鉄筋、さらには斜め鉄筋などに取り付け、前記縦鉄筋や横鉄筋と前記型枠（堰板）間の間隔（かぶり厚）、縦鉄筋間または横鉄筋間の間隔、さらには縦鉄筋や横鉄筋と斜め鉄筋間の間隔を正確に保持できる鉄筋用スペーサーであり、特にばね部材が鉄筋の径方向に弾力的に変形して前記鉄筋を挟持し得るように凹形状に形成されていることで、鉄筋に強固に固定して確実に取り付けることができ、これによりコンクリートの打設の際やバイブレーターによる締め固めの際の浮上がりや脱落を確実に防止することができるものである。
【００１４】
この場合のばね部材としては、例えばウェーブ部とその両端に突設されたフランジ部とから真横に開口する凹形に形成されたものや、真横に開口するほぼ円形の凹形に形成されたもの等があり、いずれも鉄筋の径方向に弾力的に変形して鉄筋を強固に挟み付け、鉄筋に強固に取り付けることができるものである。
【００１５】
特に、前者のばね部材はウェーブ部とその両端に突設されたフランジ部とから平面ほぼ台形の溝状に形成され、上辺側（短辺側）に鉄筋を挿入できるように、鉄筋の外径より小幅な開口部が形成されていることで、特に左右のフランジ部が弾力的に大きく変形することにより、鉄筋を強く挟み付けることができる。
【００１６】
一方、後者のばね部材は、例えば板ばねまたはコイルバネから平面ほぼ円形の溝状に形成され、その円周方向の一側部に鉄筋を挿入するための開口部が鉄筋の外径より小幅に形成されていることで、ばね部材の全体が弾力的に大きく変形することにより鉄筋を強く挟み付けることができる。
【００１７】
しかも、いずれのばね部材も、鉄筋に対するコンクリートのかぶりが一定であれば、一種類で径の異なる鉄筋に自由に取り付けることができるものである。なお、ばね部材は金属板、合成樹脂板、コイルバネまたはゴム等から形成することができる。
【００１８】
間隔保持部材としては、合成樹脂またはモルタル等から扇形状に形成されたものが適し、また孔を形成することでコンクリートを打設する際のコンクリート圧を軽減することができる。また、間隔保持部材はばね部材の周囲に二方向に対称形に、または三方向に放射状に突設することができる。さらに、合成樹脂製の間隔保持部材の場合、合成樹脂内に金属板や針金などを補強材として埋め込んでもよい。
【００１９】
請求項３記載の鉄筋用スペーサーは、請求項１記載の鉄筋用スペーサーにおいて、ばね部材はウェーブ部とその両端に突設されたフランジ部とから真横に開口する凹形に形成されてなることを特徴とするものである。
【００２０】
請求項４記載の鉄筋用スペーサーは、請求項１または２記載の鉄筋用スペーサーにおいて、ばね部材は真横に開口するほぼ円形の凹形に形成されてなることを特徴とするものである。
【００２１】
請求項５記載の鉄筋用スペーサーは、請求項１〜４のいずれかに記載の鉄筋用スペーサーにおいて、間隔保持部材は扇形状または半球状に形成されてなることを特徴とするものである。半球状をなす間隔保持部材は特に、剛性が非常に大きく、スペーサー自身の変形を防止できる点ですぐれ、さらに表面が凸曲面状に形成されていることで、コンクリートとの摩擦が非常に小さいためにコンクリートの回りがよく、コンクリートの充填性が非常によい。
【００２２】
【発明の実施の形態】
図１（ａ）〜（ｃ）は、本願発明の鉄筋用スペーサーの一例を示し、図において、鉄筋用スペーサー１は、縦鉄筋２を挟持するばね部材３とその周囲に突設された複数の間隔保持部材４，４とから形成されている。
【００２３】
ばね部材３は、ウェーブ部３ａとその両端に対向して突設されたフランジ部３ｂ，３ｂとから縦鉄筋２を真横から挟持可能なように、真横に開口する凹形状に形成されている。
【００２４】
特に、両端のフランジ部３ｂ，３ｂは対向する側（内側）にやや傾斜した状態に突設され、これによりウェーブ部３ａとその両端のフランジ部３ｂ，３ｂとからなる凹部５は開口端側の開口幅が一番狭く、奥になるにつれて徐々に広くなるように形成されている。
【００２５】
また、フランジ部３ｂ，３ｂの先端部には凹部５内に縦鉄筋２を導入しやすいようにガイド用のリップ部３ｃ，３ｃがそれぞれ形成されている。
【００２６】
また、ばね部材３のウェーブ部３ａとフランジ部３ｂ，３ｂおよびリップ部３ｃ，３ｃは、ばね力の強い金属板または合成樹脂板などから一体的に形成され、特に両端のフランジ部３ｂ，３ｂが縦鉄筋２の径方向に弾力的に変形することで、フランジ部３ｂ，３ｂの開口端を縦鉄筋２の側部に強く押しつけた際、開口端から凹部５内に縦鉄筋２を押し込んで挿入することができ、また凹部５内に挿入された縦鉄筋２をウェーブ部３ａと両端のフランジ部３ｂ，３ｂによって強く挟持できるようになっている。
【００２７】
間隔保持部材４は、モルタルまたは合成樹脂などから扇形状に形成され、また間隔保持部材４には、コンクリートを打設する際のコンクリートの側圧を軽減するための孔４ａが一個ないし複数個形成されている。また、間隔保持部材４はばね部材３のフランジ部３ｂ，３ｂの外側に接着する等してほぼ対称形にそれぞれ突設されている。
【００２８】
図１（ｂ），（ｃ）は、鉄筋用スペーサーの変形例を示し、いずれの鉄筋用スペーサーの場合も、間隔保持部材４が扇形の枠状に形成された枠状部４ｂとその内側に形成された補強リブ４ｂとから一体に形成され、特に図１（ｃ）に図示する鉄筋用スペーサーの場合にあっては、間隔保持部材４がばね部材３のフランジ部３ａおよびフランジ部３ｂ，３ｂの各外側にそれぞれ突設されている。
【００２９】
このように形成された鉄筋用スペーサー１は、ばね部材３の凹部５によって縦鉄筋２を挟持することにより縦鉄筋２に水平に取り付けられている。即ち、ばね部材３のウェーブ３ａとフランジ部３ｂ，３ｂが縦鉄筋２を回りから強く挟み付けることで、鉄筋用スペーサー１は縦鉄筋２の所定位置に固定されている。
【００３０】
また、間隔保持部材４が縦鉄筋２と型枠６との間に介在されていることで、縦鉄筋２と型枠６間の間隔、即ち縦鉄筋２の被りが確保されている。
【００３１】
また、型枠内にコンクリートが打設された際、コンクリートの嵩が徐々に増しても、これに伴って鉄筋用スペーサー１が押し上げられることもないし、またバイブレーターの振動によって移動することもない。
【００３２】
なお、図１（ａ）に図示する鉄筋用スペーサーの場合にあっては、各間隔保持部材４に孔４ａが形成され、また図１（ｂ），（ｃ）に図示する鉄筋用スペーサーの場合にあっては、各間隔保持部材４が枠状部４ｂと補強リブ４ｃとから形成されていることで、いずれもコンクリート打設時のコンクリートの側圧を大幅に軽減することができる。
【００３３】
図２（ａ）〜（ｃ）は、鉄筋用スペーサーの変形例を示し、図において、特にばね部材３が縦鉄筋２を真横から挟持可能なように、真横に開口する円形の凹形状に形成されている。また、開口端部に凹部５内に縦鉄筋２を導入しやすいようにガイド用のリップ部３ｃ，３ｃがそれぞれ形成されている。
【００３４】
この場合のばね部材３はリップ部３ｃ，３ｃとともにばね力の強い金属板または合成樹脂板などから一体的に形成され、かつ縦鉄筋２の径方向に弾力的に変形することで、ばね部材３の開口端を縦鉄筋２の側部に強く押しつけることにより、開口端側から凹部５内に縦鉄筋２を挿入することができ、また凹部５内に挿入された縦鉄筋２をばね部材３の全体で強く挟持できるようになっている。
【００３５】
間隔保持部材４は、モルタルまたは合成樹脂などから扇形状に形成され、また間隔保持部材４には一個ないし複数個の孔４ａが形成されている。また、図２（ａ）に図示する例の場合、間隔保持部材４はばね部材３の外側に接着する等してほぼ対称形にそれぞれ突設されている。
【００３６】
また、図２（ｂ），（ｃ）に図示する鉄筋用スペーサーの場合、特に間隔保持部材４が扇形の枠状に形成された枠状部４ｂとその内側に形成された補強リブ４ｃとから一体に形成され、さらに、図２（ｃ）に図示する鉄筋用スペーサーの場合、間隔保持部材４はばね部材３の外側にその三方向に突出した状態に取り付けられている。
【００３７】
図３と図４は、ともに鉄筋用スペーサーの変形例を示し、図３（ａ），（ｂ）に図示する鉄筋用スペーサーの場合、特にモルタルや合成樹脂材から形成された間隔保持部材４が補強材として金属板や金属線４ｄなどを埋め込むことにより補強されている。
【００３８】
また、図４（ａ），（ｂ）に図示する鉄筋用スペーサーの場合にあっては、間隔保持部材４が半球状に形成されていることで、特にスペーサー自身の剛性が高められてコンクリートの側圧による変形を防止すること、およびコンクリートとの摩擦を極力小さくしてコンクリートの充填をよくすることに主眼をおいてなされたものである。
【００３９】
なお、この場合のばね部材３は、円周方向の一側部が開口した円形のリング状に形成され、その開口端にフランジ部３ｂ，３ｂが平行に突出され、かつフランジ部３ｂ，３ｂの先端にリップ部３ｃ，３ｃがそれぞれ形成されている。
【００４０】
これらの鉄筋用スペーサーはいずれも、最近の建設現場においては、太径の鉄筋が広く使用されているため、従来の鉄筋用スペーサーでは、鉄筋の重量だけで変形してしまうことがあり、かぶりを十分に確保するのが困難になっていることに鑑みて開発されたものである。
【００４１】
図５（ａ）〜（ｃ）は、同じく本願発明の鉄筋用スペーサーの一例を示し、いずれの例においても、ばね部材３は縦鉄筋２を真横から挟持可能なように、コイルバネから真横に開口するほぼ円形の凹形状に形成されている。
【００４２】
また、間隔保持部材４，４は図５（ａ）の例においては扇形状に形成され、かつ複数の孔４ａが形成されている。また、図５（ｂ）の例においては、間隔保持部材４は扇形の枠状に形成され、さらに、図５（ｃ）の例においては、扇形の枠状に形成された枠状部４ｂとその内側に形成された補強リブ４ｃとから扇形状に一体的に形成され、かついずれの鉄筋用スペーサーも、間隔保持部材４はばね部材３の両側に接着する等してほぼ対称形に突設されている。なお、この場合、ばね部材３は例えば図５（ｄ）に図示するように、間隔保持部材４の縁端部に形成された凹部４ｄ内に固着されている。
【００４３】
図６（ａ）〜（ｃ）も、鉄筋用スペーサーの変形例を示し、いずれの例においても、間隔保持部材４はばね部材３の外側の三方向に突設されている。その他の構成は図５で説明した鉄筋用スペーサーと同じである。
【００４４】
このような構成において、ばね部材３の開口端を縦鉄筋２の側部に強く押し付けると、ばね部材３の開口端が大きく開くとともにばね部材３が拡径することにより、開口端から凹部５内に縦鉄筋２を押し込んで挿入することができる。
【００４５】
また、ばね部材３が縦鉄筋２の径方向に収縮すると同時に縮径することにより縦鉄筋２を強く挟持することで、縦鉄筋に取り付けることができる。
【００４６】
【発明の効果】
本願発明は以上説明したとおりであり、特にばね部材が縦鉄筋の径方向に弾力的に変形して前記縦鉄筋を挟持し得るように凹形状に形成されていることで、縦鉄筋に確実に固定して取り付けることができ、したがってコンクリートの打設の際やバイブレーターによる締め固めの際に浮き上がりを確実に阻止することができる等の効果がある。
【００４７】
また、縦鉄筋に対するコンクリートのかぶりが一定であれば、一種類で径の異なる鉄筋に相当の範囲にわたり対応することができ、きわめて経済的である。
【図面の簡単な説明】
【図１】鉄筋用スペーサーの一例を示し、（ａ）はその斜視図、（ｂ），（ｃ）はその平面図である。
【図２】鉄筋用スペーサーの一例を示し、（ａ）はその斜視図、（ｂ），（ｃ）はその平面図である。
【図３】鉄筋用スペーサーの一例を示し、（ａ）はその平面図、（ｂ）はその正面図である。
【図４】鉄筋用スペーサーの一例を示し、（ａ）はその平面図、（ｂ）はその正面図である。
【図５】鉄筋用スペーサーの一例を示し、（ａ），（ｂ），（ｃ）はその平面図、（ｄ）は（ａ）におけるイ−イ線断面図である。
【図６】鉄筋用スペーサーの一例を示し、（ａ），（ｂ），（ｃ）はその平面図である。
【図７】従来の鉄筋用スペーサーの一例を示す斜視図である。
【符号の説明】
１  鉄筋用スペーサー
２  縦鉄筋
３  ばね部材
４  間隔保持部材
５  凹部
６  型枠の堰板
７  間隔保持部材
【図１】
2004332482.tif 000003
【図２】
2004332482.tif 000004
【図３】
2004332482.tif 000005
【図４】
2004332482.tif 000006
【図５】
2004332482.tif 000007
【図６】
2004332482.tif 000008
【図７】
2004332482.tif 000009
【手続補正書】
【提出日】平成15年6月27日(2003.6.27)
【手続補正１】
【補正対象書類名】明細書
【補正対象項目名】符号の説明
【補正方法】変更
【補正の内容】
【符号の説明】
１  鉄筋用スペーサー
２  縦鉄筋
３  ばね部材
４  間隔保持部材
５  凹部
６  型枠の堰板